(57)【要約】【課題】主に各種電子機器の操作に使用される導光シート及びこれを用いた可動接点体に関し、光の混合や漏れを防ぎ、確実な操作が可能なものを提供することを目的とする。【解決手段】所定の凹凸状の発光部２２の間に、片面に傾斜部２４が形成された略帯状の切欠部２３Ａや２３Ｂを設けると共に、この切欠部２３Ａや２３Ｂ内に暗色の光吸収部２５Ａや２５Ｂを形成することによって、切欠部２３Ａや２３Ｂの幅寸法を小さく形成した場合にも、傾斜部２４により印刷やインクの塗布等の安価な方法で、光吸収部２５Ａや２５Ｂを容易に形成することができるため、複数の発光部２２間の間隔を小さくし全体の小型化が図れると共に、光の混合や漏れを防ぎ、かつ可動接点６の反転動作を損なうことなく、確実な操作が可能な導光シート２６、及びこれを用いた可動接点体２９を得ることができる。【選択図】図１
2010212123.tif 000002
【特許請求の範囲】
【請求項１】
フィルム状の基材と、この基材の上面または下面に形成された凹凸状の複数の発光部からなり、所定の上記発光部の間に片面に傾斜部が形成された略帯状の切欠部を設けると共に、この切欠部内に暗色の光吸収部を形成した導光シート。
【請求項２】
請求項１記載の導光シートの発光部下面に、略ドーム状で導電金属薄板製の可動接点を装着した可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、使い易く多様な照光を行えるものが求められている。
【０００３】
このような従来の導光シートや可動接点体について、図７及び図８を用いて説明する。
【０００４】
なお、これらの図面は構成を判り易くするために、部分的に寸法を拡大して表している。
【０００５】
図７は従来のスイッチの断面図、図８は同平面図であり、同図において、１は光透過性でフィルム状の基材で、この基材１下面の所定箇所には、凹凸状の複数の発光部２が設けられている。
【０００６】
そして、これらの所定の発光部２の間には、例えば、発光部２Ａと２Ｂ、２Ｃの間には、上下方向に貫通した略帯状で略Ｌ字状の切欠部１Ａが、発光部２Ａと２Ｄの間には略帯状で略矩形状の切欠部１Ｂが、各々設けられている。
【０００７】
さらに、３Ａや３Ｂは切欠部１Ａや１Ｂ等よりもやや大きな外形形状の、フィルム状で黒色等の暗色のカバーシートで、これらが下面に塗布された接着剤（図示せず）によって、切欠部１Ａや１Ｂ上面に各々貼付されると共に、中央部が切欠部１Ａや１Ｂ内に押し込まれ埋設されて、導光シート４が形成されている。
【０００８】
また、５はフィルム状のベースシート、６は略ドーム状で導電金属薄板製の可動接点で、ベースシート５外周の所定箇所が、接着剤（図示せず）によって導光シート４下面に貼付されると共に、複数の可動接点６が発光部２下方のベースシート５下面に貼付されて、可動接点体７が構成されている。
【０００９】
さらに、８は上下面に複数の配線パターン（図示せず）が形成された配線基板で、上面には略円形状の中央固定接点９Ａと、これを囲む略馬蹄状または略リング状の外側固定接点９Ｂから形成された、複数の固定接点９が設けられている。
【００１０】
そして、この配線基板８上面に可動接点体７が、各々の可動接点６の外周が外側固定接点９Ｂ上に載置され、可動接点６の下面中央が中央固定接点９Ａと所定の間隙を空けて、対向するように貼付されている。
【００１１】
また、１０は発光ダイオード等の発光素子で、複数の発光素子１０Ａや１０Ｂが導光シート４側方の配線基板８上面に実装され、基材１の端面に発光面を向けて配置されている。
【００１２】
さらに、１１は光透過性でフィルム状の表示シートで、下面に印刷等によって形成された遮光部１１Ａの所定箇所が、文字や記号等の形状にくり抜かれて複数の表示部１１Ｂが形成され、この表示部１１Ｂが導光シート４の発光部２上方に配置されて、スイッチが構成されている。
【００１３】
そして、このように構成されたスイッチが、携帯電話等の電子機器の操作面に装着されると共に、複数の中央固定接点９Ａや外側固定接点９Ｂ、複数の発光素子１０が配線パターン等を介して、機器の電子回路（図示せず）に接続される。
【００１４】
以上の構成において、表示シート１１の所定の表示部１１Ｂを下方へ押圧操作すると、導光シート４やベースシート５が撓んで可動接点６の略ドーム状の中央部が押圧され、所定の押圧力が加わると、可動接点６がクリック感を伴って下方へ弾性反転し、可動接点６の下面中央が中央固定接点９Ａに接触することによって、中央固定接点９Ａと外側固定接点９Ｂが、可動接点６を介して電気的に接続された状態となる。
【００１５】
また、表示シート１１への押圧力を解除すると、弾性復帰力によって可動接点６が上方へ弾性反転し、可動接点６の下面中央が中央固定接点９Ａから離れて、中央固定接点９Ａと外側固定接点９Ｂが電気的に切断された状態となる。
【００１６】
そして、このような固定接点９の電気的接離に応じて、機器の様々な機能の切換えが行われると共に、機器の電子回路から発光素子１０に電源が供給されると、複数の発光素子１０Ａや１０Ｂが発光し、この光が端面から導光シート４内に入射して、基材１内を反射しながら内方へ進む。
【００１７】
さらに、この光が基材１下面の複数の発光部２Ａや２Ｂ等で拡散され反射して、これらの上方の表示シート１１の表示部１１Ｂを下方から照光し、複数の表示部１１Ｂが照光されることによって、周囲が暗い場合でも、表示部１１Ｂの文字や記号等の表示が識別でき、操作を容易に行うことが可能なようになっている。
【００１８】
つまり、表示シート１１を押圧操作することによって導光シート４上面を押圧し、可動接点６を弾性反転させて固定接点９の電気的接離を行うと共に、発光素子１０の光を端面から導光シート４内に導入し、複数の発光部２を発光させることによって、表示シート１１の複数の表示部１１Ｂを照光するように構成されている。
【００１９】
また、複数の発光部２の間に切欠部１Ａや１Ｂ等を設けると共に、この上面にカバーシート３Ａや３Ｂ等を貼付し、これらの中央部を切欠部１Ａや１Ｂ内に押し込み埋設することによって、例えば、発光素子１０Ａや１０Ｂの発光色が異なる場合や、発光部２Ａの箇所は消灯し、他の発光部２Ｂや２Ｃは点灯させた場合等に、これらの光がカバーシート３Ａや３Ｂによって遮断されるように形成されている。
【００２０】
すなわち、切欠部１Ａや１Ｂ内に押し込み埋設された暗色のカバーシート３Ａや３Ｂによって、発光色の異なる光が導光シート４内で混合され、複数の発光部２が混ざった発光色で照光されることや、消灯しているはずの発光部２Ａが他の箇所を照光している光によって、うっすらとではあるが照光されることのないように構成されているものであった。
【００２１】
なお、この出願の発明に関連する先行技術文献情報としては、例えば、特許文献１が知られている。
【特許文献１】特開２００８−３０５６５５号公報
【発明の開示】
【発明が解決しようとする課題】
【００２２】
しかしながら、上記従来の可動接点体７やスイッチにおいては、切欠部１Ａや１Ｂ内に、カバーシート３Ａや３Ｂの中央部を押し込み埋設して貼付する必要があるため、製作に時間を要し手間がかかると共に、切欠部１Ａや１Ｂ及びカバーシート３Ａや３Ｂ等の幅を所定以上の幅寸法に形成する必要があり、複数の発光部２の間隔が大きな場合はよいが、例えば発光部２Ｂと２Ｃの間のように間隔が小さな場合には、カバーシート３Ａや３Ｂ等が発光部２Ｂや２Ｃ等の可動接点６上に貼付され、これによって可動接点６の反転動作が損なわれてしまうため、全体の小型化を図ることも困難であるという課題があった。
【００２３】
本発明は、このような従来の課題を解決するものであり、光の混合や漏れを防ぎ、確実な操作が可能な導光シート及びこれを用いた可動接点体を提供することを目的とする。
【課題を解決するための手段】
【００２４】
上記目的を達成するために本発明は、以下の構成を有するものである。
【００２５】
本発明の請求項１に記載の発明は、所定の凹凸状の発光部の間に、片面に傾斜部が形成された略帯状の切欠部を設けると共に、この切欠部内に暗色の光吸収部を形成して導光シートを構成したものであり、切欠部の幅寸法を小さく形成した場合にも、この片面の傾斜部によって印刷やインクの塗布等の安価な方法で、切欠部内に光吸収部を容易に形成することができるため、複数の発光部間の間隔を小さくし全体の小型化が図れると共に、光吸収部によって光の混合や漏れを防ぎ、かつ可動接点の反転動作を損なうことなく、確実な操作が可能な導光シートを得ることができるという作用を有する。
【００２６】
請求項２に記載の発明は、請求項１記載の導光シートの発光部下面に、略ドーム状で導電金属薄板製の可動接点を装着して可動接点体を構成したものであり、光の混合や漏れを防ぎ、確実な操作が可能なスイッチを実現することができるという作用を有する。
【発明の効果】
【００２７】
以上のように本発明によれば、光の混合や漏れを防ぎ、確実な操作が可能な導光シート及びこれを用いた可動接点体を実現することができるという有利な効果が得られる。
【発明を実施するための最良の形態】
【００２８】
以下、本発明の実施の形態について、図１〜図６を用いて説明する。
【００２９】
なお、これらの図面は構成を判り易くするために、部分的に寸法を拡大して表している。
【００３０】
また、背景技術の項で説明した構成と同一構成の部分には同一符号を付して、詳細な説明を簡略化する。
【００３１】
（実施の形態）
図１は本発明の一実施の形態による可動接点体の断面図、図２は同平面図であり、同図において、２１はフィルム状でポリウレタンやシリコーン、スチレン等の可撓性を有する光透過性の基材で、この基材２１下面の所定箇所には、凹凸状でポリエステルやエポキシ等の白色や乳白色等の複数の発光部２２が、印刷等によってドット状に形成されている。
【００３２】
そして、これらの所定の発光部２２の間には、例えば、発光部２２Ａと２２Ｂ、２２Ｃの間には、上下方向に貫通した略帯状で略Ｌ字状の切欠部２３Ａが、発光部２２Ａと２２Ｄの間には略帯状で略矩形状の切欠部２３Ｂが各々設けられると共に、この切欠部２３Ａや２３Ｂの下面には、略円弧状の傾斜部２４が各々形成されている。
【００３３】
さらに、切欠部２３Ａや２３Ｂ内には印刷等によって、カーボン等を分散したポリエステルやエポキシ等の、黒色や濃グレー色等の暗色の光吸収部２５Ａや２５Ｂが形成されて、導光シート２６が構成されている。
【００３４】
また、５はフィルム状のベースシート、６は略ドーム状で銅合金や鋼等の導電金属薄板製の可動接点で、ベースシート５外周の所定箇所が、アクリルやシリコーン等の接着剤２７によって導光シート２６下面に貼付されると共に、複数の可動接点６が発光部２２下方のベースシート５下面に貼付されている。
【００３５】
さらに、２８はポリエチレンテレフタレート等のフィルム状のセパレータで、このセパレータ２８がベースシート５下面全面を覆うように貼付され、保管・搬送時に可動接点６下面に塵埃等が付着しないようにして、可動接点体２９が構成されている。
【００３６】
また、このように切欠部２３Ａや２３Ｂの片面に傾斜部２４が形成された導光シート２６や、可動接点体２９を製作するには、先ず、図３（ａ）の断面図に示すように、下面にポリエチレンテレフタレート等のフィルム状のセパレータ２８Ａが貼付された厚さ２００μｍ前後の基材２１に、上方からＹＡＧレーザ等のレーザを照射し、レーザまたは基材２１を移動して、幅０．１〜０．３ｍｍ前後の略帯状の切欠部２３Ａを形成する。
【００３７】
なお、この時、このレーザ加工の熱によって切欠部２３Ａ両端上面の角が溶融し、上面の幅が０．５〜０．８ｍｍ前後となった略円弧状の傾斜部２４が、切欠部２３Ａ両端上面に形成される。
【００３８】
つまり、レーザ加工によって基材２１に切欠部２３Ａを形成することで、他のプレス加工等に比べ、幅寸法の小さな略帯状の切欠部２３Ａを容易に形成することができると共に、この切欠部２３Ａ上面に略円弧状の傾斜部２４を同時に形成できるようになっている。
【００３９】
そして、次に、図３（ｂ）に示すように、各々の材料に溶剤が添加されたインクを用いスクリーン印刷によって、切欠部２３Ａ左右の基材２１上面に発光部２２Ａや２２Ｂを、切欠部２３Ａ上面に暗色の光吸収部２５Ａを、基材２１上面に接着剤２７を各々形成する。
【００４０】
なお、この時、切欠部２３Ａの幅寸法が小さいため、印刷直後は光吸収部２５Ａ下面と切欠部２３Ａの間には空隙が生じているが、切欠部２３Ａ両端上面には傾斜部２４が形成されているため、この後の乾燥等を行うまでの間には、図３（ｃ）に示すように、切欠部２３Ａ内に光吸収部２５Ａが充填されて、導光シート２６が製作される。
【００４１】
すなわち、切欠部２３Ａ上面に傾斜部２４を設けることによって、切欠部２３Ａの幅寸法を小さくした場合でも、この切欠部２３Ａ内に暗色の光吸収部２５Ａを充填して形成することが可能なように構成されている。
【００４２】
さらに、この後、図３（ｄ）に示すように、セパレータ２８Ａを剥離した導光シート２６を上下逆に反転し、これを下面に複数の可動接点６が貼付されたベースシート５上面に、接着剤２７によって重ねて貼付して、図１に示したような可動接点体２９が完成する。
【００４３】
また、図４はこのような可動接点体２９を用いたスイッチの断面図であり、同図において、８はポリエチレンテレフタレートやポリカーボネート等のフィルム状、または紙フェノールやガラス入りエポキシ等の板状の配線基板で、上下面に銅等によって複数の配線パターン（図示せず）が形成されると共に、上面には銅やカーボン等によって、略円形状の中央固定接点９Ａと、これを囲む略馬蹄状または略リング状の外側固定接点９Ｂから形成された、複数の固定接点９が設けられている。
【００４４】
そして、この配線基板８上面にセパレータ２８を剥離した可動接点体２９が、各々の可動接点６の外周が外側固定接点９Ｂ上に載置され、可動接点６の下面中央が中央固定接点９Ａと所定の間隙を空けて、対向するように貼付されている。
【００４５】
また、１０は発光ダイオード等の発光素子で、複数の発光素子１０が導光シート２６側方の配線基板８上面に実装され、例えば図２に示すように、発光素子１０Ａが発光部２２Ａの上側方、発光素子１０Ｂが発光部２２Ｂの右側方に、基材２１端面に発光面を向けて配置されている。
【００４６】
さらに、１１は光透過性でフィルム状の表示シートで、下面に印刷等によって形成された遮光部１１Ａの所定箇所が、文字や記号等の形状にくり抜かれて複数の表示部１１Ｂが形成され、この表示部１１Ｂが導光シート２６の発光部２２上方に配置されて、スイッチが構成されている。
【００４７】
そして、このように構成されたスイッチが、携帯電話等の電子機器の操作面に装着されると共に、複数の中央固定接点９Ａや外側固定接点９Ｂ、複数の発光素子１０が配線パターン等を介して、機器の電子回路（図示せず）に接続される。
【００４８】
以上の構成において、表示シート１１の所定の表示部１１Ｂを下方へ押圧操作すると、導光シート２６やベースシート５が撓んで可動接点６の略ドーム状の中央部が押圧され、所定の押圧力が加わると、可動接点６がクリック感を伴って下方へ弾性反転し、可動接点６の下面中央が中央固定接点９Ａに接触することによって、中央固定接点９Ａと外側固定接点９Ｂが、可動接点６を介して電気的に接続された状態となる。
【００４９】
また、表示シート１１への押圧力を解除すると、弾性復帰力によって可動接点６が上方へ弾性反転し、可動接点６の下面中央が中央固定接点９Ａから離れて、中央固定接点９Ａと外側固定接点９Ｂが電気的に切断された状態となる。
【００５０】
そして、このような固定接点９の電気的接離に応じて、機器の様々な機能の切換えが行われると共に、機器の電子回路から発光素子１０に電源が供給されると、複数の発光素子１０Ａや１０Ｂが発光し、この光が端面から導光シート２６内に入射して、基材２１内を反射しながら内方へ進む。
【００５１】
さらに、この光が基材２１下面の複数の発光部２２Ａや２２Ｂ等で拡散され反射して、これらの上方の表示シート１１の表示部１１Ｂを下方から照光し、複数の表示部１１Ｂが照光されることによって、周囲が暗い場合でも、表示部１１Ｂの文字や記号等の表示が識別でき、操作を容易に行うことが可能なようになっている。
【００５２】
つまり、表示シート１１を押圧操作することによって導光シート２６上面を押圧し、可動接点６を弾性反転させて固定接点９の電気的接離を行うと共に、発光素子１０の光を端面から導光シート２６内に導入し、複数の発光部２２を発光させることによって、表示シート１１の複数の表示部１１Ｂを照光するように構成されている。
【００５３】
また、このような照光を行う際、複数の発光部２２の間に、下面に傾斜部２４が形成された切欠部２３Ａや２３Ｂ等を設けると共に、この切欠部２３Ａや２３Ｂ内に暗色の光吸収部２５Ａや２５Ｂを形成することによって、例えば、発光素子１０Ａや１０Ｂの発光色が異なる場合や、発光部２２Ａの箇所は消灯し、他の発光部２２Ｂや２２Ｃは点灯させた場合等に、これらの光が混合されたり、他の発光部へ漏れたりしないように形成されている。
【００５４】
すなわち、例えば図２において、発光素子１０Ａの発光色が橙色、発光素子１０Ｂの発光色が緑色であった場合には、発光素子１０Ａの光が入射する発光部２２Ａは橙色に発光して、この上方の表示部１１Ｂは橙色に照光され、発光素子１０Ｂの光が入射する発光部２２Ｂは緑色に発光する。
【００５５】
そして、この時、発光部２２Ａと２２Ｂの間には略Ｌ字状の切欠部２３Ａが設けられると共に、この切欠部２３Ａ内には暗色の光吸収部２５Ａが形成されているため、この橙色の光と緑色の光が導光シート２６内で混合されることがないようになっている。
【００５６】
つまり、発光部２２Ａや２２Ｂから切欠部２３Ａに出射した、発光素子１０Ａや１０Ｂの橙色や緑色の光は、切欠部２３Ａ内に形成された光吸収部２５Ａによって各々吸収され、発光素子１０Ａの光が発光部２２Ｂや２２Ｄへ、発光素子１０Ｂの光が発光部２２Ａや２２Ｃへは出射しないようになっているため、これらの複数の発光部２２が、橙色や緑色の光が混ざった発光色で照光されることのないように構成されている。
【００５７】
あるいは、例えば発光素子１０Ａは消灯し、発光素子１０Ｂのみが点灯している場合でも、発光素子１０Ｂによって発光部２２Ｂは緑色に発光するが、この光は光吸収部２５Ａによって吸収され遮断されるため、この発光素子１０Ｂの光によって、消灯している発光部２２Ａや２２Ｃが薄明るく発光することのないようになっている。
【００５８】
すなわち、複数の発光部２２の間の、略帯状の切欠部２３Ａや２３Ｂ内に形成された暗色の光吸収部２５Ａや２５Ｂによって、切欠部２３Ａや２３Ｂに出射した発光素子１０Ａや１０Ｂの光は吸収されて遮断され、他の発光部２２へは入射しないため、複数の発光部２２の光の混合や漏れを防止し、見易く多様な照光が行えるように構成されている。
【００５９】
また、これらの切欠部２３Ａや２３Ｂは、上述したようにレーザ加工によって幅寸法が小さく形成されているため、例えば発光部２２Ｂと２２Ｃの間のように間隔が小さな箇所にでも形成が可能であり、複数の発光部２２間の間隔を小さくし全体の小型化が図れると共に、各発光部２２下面の可動接点６の反転動作を損なうこともないため、確実な操作を行うことも可能なように形成されている。
【００６０】
さらに、レーザ加工によって切欠部２３Ａや２３Ｂ片面に、略円弧状の傾斜部２４を設けることによって、切欠部２３Ａや２３Ｂの幅寸法を小さくした場合でも、スクリーン印刷等の安価な方法で、これらに暗色の光吸収部２５Ａを容易に充填して形成することができるようになっている。
【００６１】
なお、以上の説明では、切欠部２３Ａや２３Ｂ片面に、スクリーン印刷によって光吸収部２５Ａを形成した構成について説明したが、図５の断面図に示すように、インクジェット等の他の方法によっても、光吸収部２５Ａの形成は可能である。
【００６２】
つまり、先ず、図５（ａ）に示すように、下面にフィルム状のセパレータ２８Ａが貼付された基材２１に、上方からレーザを照射し、レーザまたは基材２１を移動して、略帯状の切欠部２３Ａを形成する。
【００６３】
なお、この時、このレーザ加工の熱によって切欠部２３Ａ両端上面の角が溶融し、上述した場合と同様に、基材２１上面に略円弧状の傾斜部２４が形成される。
【００６４】
そして、次に、図５（ｂ）に示すように、セパレータ２８Ａを剥離した基材２１下面に、発光部２２Ａや２２Ｂ、接着剤２７を各々印刷形成した後、この導光シート２６を、図５（ｃ）に示すように、下面に複数の可動接点６が貼付されたベースシート５上面に、接着剤２７によって重ねて貼付する。
【００６５】
さらに、この後、図５（ｄ）に示すように、インクジェットによってインクを切欠部２３Ａに塗布して、切欠部２３Ａ内に光吸収部２５Ａを充填し、乾燥させて可動接点体が完成する。
【００６６】
あるいは、図６（ａ）の断面図に示すように、先ず、上下面にフィルム状のセパレータ２８Ｂと２８Ａが貼付された基材２１に、上方からレーザを照射し、レーザまたは基材２１を移動して、略帯状の切欠部２３Ａを形成する。
【００６７】
なお、この時、このレーザ加工の熱によって切欠部２３Ａ両端上面の角が溶融し、セパレータ２８Ｂと基材２１上面に略円弧状の傾斜部２４が形成される。
【００６８】
そして、次に、図６（ｂ）に示すように、セパレータ２８Ａを剥離した基材２１下面に、発光部２２Ａや２２Ｂ、接着剤２７を各々印刷形成した後、この導光シート２６を、図６（ｃ）に示すように、下面に複数の可動接点６が貼付されたベースシート５上面に、接着剤２７によって重ねて貼付する。
【００６９】
さらに、この後、インクジェットによってインクを切欠部２３Ａに塗布して、切欠部２３Ａ内に光吸収部２５Ａを充填した後、図６（ｄ）に示すように、セパレータ２８Ｂを剥離して、切欠部２３Ａ内にのみ光吸収部２５Ａが形成された可動接点体が完成する。
【００７０】
つまり、切欠部２３Ａ上面に傾斜部２４を形成すると共に、上記のようにインクジェットによって光吸収部２５Ａを塗布形成することによって、より簡易に切欠部２３Ａ内に暗色の光吸収部２５Ａを形成することができる。
【００７１】
このように本実施の形態によれば、所定の凹凸状の発光部２２の間に、片面に傾斜部２４が形成された略帯状の切欠部２３Ａや２３Ｂを設けると共に、この切欠部２３Ａや２３Ｂ内に暗色の光吸収部２５Ａや２５Ｂを形成することによって、切欠部２３Ａや２３Ｂの幅寸法を小さく形成した場合にも、傾斜部２４により印刷やインクの塗布等の安価な方法で、切欠部２３Ａや２３Ｂ内に光吸収部２５Ａや２５Ｂを容易に形成することができるため、複数の発光部２２間の間隔を小さくし全体の小型化が図れると共に、光吸収部２５Ａや２５Ｂによって光の混合や漏れを防ぎ、かつ可動接点６の反転動作を損なうことなく、確実な操作が可能な導光シート２６、及びこれを用いた可動接点体２９を得ることができるものである。
【００７２】
なお、以上の説明では、可動接点６上方の導光シート２６の基材２１下面に、印刷によって複数の発光部２２を形成した構成について説明したが、下面ではなく基材２１上面に発光部２２を形成した構成としても本発明の実施は可能であり、また、印刷以外にも貼付やレーザ加工、プレス加工、成形加工等、様々な方法によって発光部２２の形成は可能である。
【００７３】
また、以上の説明では、下面に複数の可動接点６が貼付されたベースシート５を、導光シート２６の下面に貼付した構成について説明したが、ベースシート５をなくし、導光シート２６の下面に複数の可動接点６を直接貼付した構成とすれば、全体の構成部品数を減らし、可動接点体２９をさらに簡易で安価なものとすることができる。
【産業上の利用可能性】
【００７４】
本発明による導光シート及びこれを用いた可動接点体は、光の混合や漏れを防ぎ、確実な操作が可能なものが得られ、主に各種電子機器の操作用として有用である。
【図面の簡単な説明】
【００７５】
【図１】本発明の一実施の形態による可動接点体の断面図
【図２】同平面図
【図３】同断面図
【図４】同スイッチの断面図
【図５】同他の実施の形態による断面図
【図６】同断面図
【図７】従来のスイッチの断面図
【図８】同平面図
【符号の説明】
【００７６】
５  ベースシート
６  可動接点
８  配線基板
９  固定接点
９Ａ  中央固定接点
９Ｂ  外側固定接点
１０、１０Ａ、１０Ｂ  発光素子
１１  表示シート
１１Ａ  遮光部
１１Ｂ  表示部
２１  基材
２２、２２Ａ、２２Ｂ、２２Ｃ、２２Ｄ  発光部
２３Ａ、２３Ｂ  切欠部
２４  傾斜部
２５Ａ、２５Ｂ  光吸収部
２６  導光シート
２７  接着剤
２８、２８Ａ、２８Ｂ  セパレータ
２９  可動接点体
【図１】
2010212123.tif 000003
【図２】
2010212123.tif 000004
【図３】
2010212123.tif 000005
【図４】
2010212123.tif 000006
【図５】
2010212123.tif 000007
【図６】
2010212123.tif 000008
【図７】
2010212123.tif 000009
【図８】
2010212123.tif 000010